(57)【要約】【課題】本発明は、所定のリアチェーンホイールに対してチェーンを確実に平行移動させることができ、スムーズに変速することが可能な自転車用リアディレイラの提供を課題とする。【解決手段】自転車１の後車輪１１１に設けられた複数枚のリアチェーンホイール１１０に対してチェーンを平行移動させて変速するための自転車用リアディレイラ２である。自転車１に取り付けられるベース部材２１と、平行に揺動する平行揺動部材２３と、ベース部材２１とガイド部材２３との間に介在するリンク部材２２と、平行揺動部材２３に設けられたアーム部材２４、２５と、ベース部材２１の後方位置に設けられたケーブルプーリ２６とを備える。ケーブルプーリ２６は、外形が前方部を切り欠かれた円弧状に形成され、円弧部２６ｃの曲率中心位置に回転軸２６１が設けられるとともに、円弧部２６ｃの周面にコントロールケーブル４が掛けられる溝２６２が設けられている。【選択図】      図２
2007168596.tif 000002
【特許請求の範囲】
【請求項１】
自転車の後車輪に設けられた複数枚のリアチェーンホイールに対してチェーンを平行移動させて変速するための自転車用リアディレイラであって、
自転車に取り付けられるベース部材と、平行に揺動する平行揺動部材と、前記ベース部材と前記平行揺動部材との間に介在するリンク部材と、前記平行揺動部材に設けられ、かつスプロケットを有するアーム部材と、前記ベース部材の後方位置において回転可能に設けられるケーブルプーリとを備え、
前記ケーブルプーリは、外形が前方部を切り欠かれた円弧状に形成され、該円弧部の曲率中心位置またはその近傍位置に回転軸が設けられるとともに、前記円弧部の周面にコントロールケーブルが掛けられる溝が設けられていることを特徴とする自転車用リアディレイラ。
【請求項２】
前記ケーブルプーリは、前記回転軸から前記円弧部上の上部位置までの半径と、前記回転軸から前記円弧部上の下部位置までの半径とが異なる距離となるように、前記円弧部の曲率半径が変化するものとなされている請求項１に記載の自転車用リアディレイラ。
【請求項３】
前記ケーブルプーリは、前記円弧部において溝を覆う態様の一ないし複数のケーブル外れ防止部材が設けられている請求項１または請求項２に記載の自転車用リアディレイラ。
【請求項４】
前記ケーブルプーリは、溝の内壁面において内側に突出する態様の一ないし複数のケーブル保持部材が設けられている請求項１から請求項３に記載の自転車用リアディレイラ。
【請求項５】
前記ケーブルプーリは、円弧部の側方からコントロールケーブルを押さえつけるためのネジ部材が貫通して設けられている請求項１から請求項４に記載の自転車用リアディレイラ。
【請求項６】
前記ケーブルプーリは、その上部が下部よりも自転車本体側に接近するように回転軸が上向きに傾斜して設けられている請求項１から請求項５に記載の自転車用リアディレイラ。
【請求項７】
前記ケーブルプーリは、重心位置が回転軸位置またはその近傍位置となるように肉抜きされている請求項１から請求項６に記載の自転車用リアディレイラ。
【請求項８】
前記ケーブルプーリは、自転車の前後方向に移動可能な態様で設けられている請求項１から請求項７に記載の自転車用リアディレイラ。
【発明の詳細な説明】
【技術分野】
【０００１】
本発明は、自転車の後輪に設けられた複数枚のリアチェーンホイールに対してチェーンを平行移動させて変速するための自転車用リアディレイラに関する。
【背景技術】
【０００２】
従来、自転車の車輪の回転速度を変速させるものとしてリアディレイラが知られている。これは、自転車の後輪に設けられた複数枚のリアチェーンホイールに対してチェーンを平行移動させて変速するものであり、種々工夫がなされたものが提案されている（例えば、特許文献１〜３参照）。
【０００３】
一般に、リアディレイラは、自転車本体に取り付けられるベース部材と、チェーンが掛けられるスプロケットを有する平行揺動部材と、前記ベース部材と平行揺動部材との間に介在するリンク部材とを備えている。そして、コントロールケーブルの作用により、リンク部材を介してガイド部材が平行移動して、自転車の後輪に設けられた複数枚のリアチェーンホイールのうちの適当な一枚にチェーンが掛け渡され、そのリアチェーンホイールの大きさの違いにより自転車の車輪の回転速度を変化させるものとなされている。
【０００４】
ところで、図１４に示すように、ベース部材（２１）の後方位置において、コントロールケーブル（２５）を掛けるためのケーブルプーリ（２５１）が回転可能に設けられたものが知られている（例えば、特許文献４参照）。このようにケーブルプーリ（２５１）をベース部材（２１）の後方位置に設けることにより、車軸（１３１）との干渉による制限を受けることなく、直径の大きなケーブルプーリ（２５１）を使用することができ、コントロールケーブル（２５）の動きをより滑らかにすることが可能となる。
【特許文献１】特開平０８−２０７８６９号公報
【特許文献２】特開平１０−２９７５７５号公報
【特許文献３】特開２００４−１７９６５号公報
【特許文献４】ＵＳ２００４／０１０６４８２（米国公開公報）
【発明の開示】
【発明が解決しようとする課題】
【０００５】
しかしながら、上記リアディレイラ（特許文献４）では、ケーブルプーリが単に円形に形成されたものであるため、ケーブルプーリをベース部材からある程度離して設けなければならず、リアディレイラ全体の小型化が図れないという問題があった。
【０００６】
本発明は、上記問題に鑑みてなされたものであって、リアディレイラの小型化を図ることができ、ひいてはスムーズに変速することが可能な自転車用リアディレイラの提供を課題とする。
【課題を解決するための手段】
【０００７】
本発明は、上記課題を解決するために、自転車の後車輪に設けられた複数枚のリアチェーンホイールに対してチェーンを平行移動させて変速するための自転車用リアディレイラであって、自転車に取り付けられるベース部材と、平行に揺動する平行揺動部材と、前記ベース部材と前記平行揺動部材との間に介在するリンク部材と、前記平行揺動部材に設けられ、かつスプロケットを有するアーム部材と、前記ベース部材の後方位置において回転可能に設けられるケーブルプーリとを備え、前記ケーブルプーリは、外形が前方部を切り欠かれた円弧状に形成され、該円弧部の曲率中心位置またはその近傍位置に回転軸が設けられるとともに、前記円弧部の周面にコントロールケーブルが掛けられる溝が設けられていることを特徴とする。
【０００８】
前記ケーブルプーリは、前記回転軸から前記円弧部上の上部位置までの半径と、前記回転軸から前記円弧部上の下部位置までの半径とが異なる距離となるように、前記円弧部の曲率半径が変化するものとなされてもよい。
【０００９】
前記ケーブルプーリは、前記円弧部において溝を覆う態様の一ないし複数のケーブル外れ防止部材が設けられてもよい。
【００１０】
前記ケーブルプーリは、溝の内壁面において内側に突出する態様の一ないし複数のケーブル保持部材が設けられてもよい。
【００１１】
前記ケーブルプーリは、円弧部の側方からコントロールケーブルを押さえつけるためのネジ部材が貫通して設けられてもよい。
【００１２】
前記ケーブルプーリは、その上部が下部よりも自転車本体側に接近するように回転軸が上向きに傾斜して設けられてもよい。
【００１３】
前記ケーブルプーリは、重心位置が回転軸位置またはその近傍位置となるように肉抜きされてもよい。
【００１４】
前記ケーブルプーリは、自転車の前後方向に移動可能な態様で設けられてもよい。
【発明の効果】
【００１５】
請求項１に係る発明によれば、従来の円形のものに比べて、ケーブルプーリをベース部材により一層近づけて設けることができ、リアディレイラ全体の小型化を図ることが可能となる。
【００１６】
請求項２に係る発明によれば、曲率半径を変えることにより変速レバーの位置決め間隔とリアディレイラの作動ストロークのマッチングが容易となり、同じ変速レバーで各リアチェーンホイールの間隔が異なる場合でもケーブルプーリ（２６）を替えるだけで適用が可能となる。
【００１７】
請求項３に係る発明によれば、変速時などにおいて仮にケーブルが弛んだ場合でも、ケーブルプーリから外れるのを防止することができる。
【００１８】
請求項４に係る発明によれば、コントロールケーブルがケーブル保持部材に挟まれることにより確実に保持されるので、コントロールケーブルの弛みに対してコントロールケーブルとケーブルプーリとの位置がずれることを防止でき、変速レバーの操作に対してリアディレイラを正確に動作させることが可能となる。
【００１９】
請求項５に係る発明によれば、コントロールケーブルがネジ部材で押さえられるので、コントロールケーブルの弛みに対してコントロールケーブルとケーブルプーリとの位置がずれることを防止でき、変速レバーの操作に対してリアディレイラを正確に動作させることが可能となる。
【００２０】
請求項６に係る発明によれば、回転軸が水平な通常の場合に比べて、コントロールケーブルをリアディレイラ側に効率よく、無理なく、直線的に流れを作ることができる。
【００２１】
請求項７に係る発明によれば、ケーブルプーリの重心が回転軸付近となるので、自転車走行時などの振動によりケーブルプーリが勝手に回転することを防止できる。
【００２２】
請求項８に係る発明によれば、ケーブルプーリが前後に移動することによりケーブルプーリとベース部材の間隔を調節することができ、変速レバーのスタート位置とリアディレイラのスタート位置を合わせることが容易となる。
【発明を実施するための最良の形態】
【００２３】
＜第１実施形態＞
本発明の第１実施形態に係る自転車用リアディレイラについて説明する。
【００２４】
図１は、自転車用リアディレイラ（以下、リアディレイラという）が取り付けられる自転車（１）の概略図である。
【００２５】
図１において、この自転車（１）は、略平行四辺形に形成されたフレーム（１０１）と、該フレーム（１０１）の前方頂部に設けられたハンドル軸（１０２）と、該ハンドル軸（１０２）の上端部に設けられたハンドル（１０３）と、前記ハンドル軸（１０２）の下端部に設けられたフォーク（１０４）と、該フォーク（１０４）に回転可能に設けられた前車輪（１０５）と、前記フレーム（１０１）の上方頂部に設けられたサドル（１０６）と、フレーム（１０１）の下方頂部に設けられたペダルクランク（１０７）と、該ペダルクランク（１０７）の先端部に設けられたペダル（１０８）と、前記フレーム（１０１）の下方頂部に設けられたフロントチェーンホイール（１０９）と、前記フレーム（１０１）の後方頂部に同軸に設けられた複数枚のリアチェーンホイール（１１０）と、該リアチェーンホイール（１１０）を介して回転可能に設けられた後車輪（１１１）と、前記フロントチェーンホイール（１０９）とリアチェーンホイール（１１０）に無端状態に巻架されたチェーン（１１２）とを備えてなる。
【００２６】
なお、前記フレーム（１０１）の後方頂部には本実施形態に係るリアディレイラ（２）が設けられている。また、ハンドル（１０３）には多段階に調節可能な変速レバー（３）が取り付けられている。リアディレイラ（２）と変速レバー（３）とはコントロールケーブル（４）により接続され、変速レバー（３）を所定の段階に調節すると、コントロールケーブル（４）を介してリアディレイラ（２）を所定位置まで動作させるようになっている。
【００２７】
次にリアディレイラ（２）の構造について具体的に説明する。なお、本実施形態では、専用のリアディレイラ取付部（５）を介してフレーム（１０１）に取り付ける場合について説明する。
【００２８】
図２は、前記リアディレイラ（２）をフレーム（１０１）に取り付けた状態を自転車側方から示す外観図、図３はこれを自転車後方から示す模式図、図４はフレーム（１０１）のリアディレイラ取付部（５）を示す部分図である。なお、図３は、平行リンク機構による変速を説明するためのものであり、各部材の位置関係は模式的なものである。
【００２９】
前記リアディレイラ取付部（５）は、図４に示すように、フレーム（１０１）の後方頂部において一体的に形成されたものであり、後車輪（１１１）の車軸（１１３）が取り付けられる車軸取付部（５１）と、リアディレイラ（２）のベース部材（２１）が取り付けられる軸孔（５２１）を有するリアディレイラ取付部（５２）と、リアディレイラ（２）の動作を制止するストッパー（５３）と、リアディレイラ（２）のケーブルプーリ（２６）を取り付けるための軸孔（５４１）を有するプーリブラケット（５４）とを備えている。
【００３０】
これにより、後車輪（１１１）の車軸（１１３）を車輪取付部（５１）に嵌め込むように取り付けるとともに、リアディレイラ（２）のベース部材（２１）をリアディレイラ取付部（５２）に取り付け、さらにケーブルプーリ（２６）をプーリブラケット（５４）の軸孔（５４１）に回転可能に取り付ければ、図２に示すように、リアディレイラ（２）が自転車（１）の適切な位置に設けられた状態となる。
【００３１】
前記リアディレイラ（２）のベース部材（２１）は、取付ボルト（２１１）を通すための貫通孔（図示略）が中央部に穿設されており、取付ボルト（２１１）を貫通孔に通して軸孔（５２１）にねじ込むことによりリアディレイラ取付部（５２）に回動可能に取り付けられる。
【００３２】
また、前記ベース部材（２１）にはストッパー（２１２）が設けられており、ベース部材（２１）が回動するときに、このストッパー（２１２）とフレーム（１０１）に設けられたストッパー（５３）が当接することにより、ベース部材（２１）は一定の角度位置で停止するようになっている。ストッパー（２１２）の突出量はこれを回すことにより調整可能であるため、ベース部材（２１）が停止する角度位置も調節可能である。なお、この両ストッパー（２１２）（５３）は分解組み立て時を除いて、互いに当接状態を保つ、すなわち自転車（１）を通常使用している場合には変速時を含めて両ストッパー（２１２）（５３）は当接したままである。
【００３３】
また、前記ベース部材（２１）の前方にはリンク部材（２２）が設けられている。このリンク部材（２２）は、ベース部材（２１）に対して自転車の左右方向に揺動可能となされており、通常は一つのパラレルクランクで構成される。
【００３４】
前記リンク部材（２２）の他方の端部には平行揺動部材（２３）が軸支されている。このため、ベース部材（２１）、平行揺動部材（２３）、及びこれらを結びつけているリンク部材（２２）によって、平行リンク機構が構成されている。したがって、図３に示すように、平行揺動部材（２３）は、ベース部材（２１）に対する角度を変化させることなく相対的位置を変更することができ、ガイドスプロケット（２４２）に掛けられたチェーン（１１２）が噛合するリアチェーンホイール（１１０）を変更することができる。
【００３５】
なお、変速操作のためのコントロールケーブル（４）の端部を固定するためにケーブル端固定部材（２２１）がリンク部材（２２）の下部に設けられており、変速レバー（３）によりコントロールケーブル（４）を操作することによって平行揺動部材（２３）が揺動するものとなされている。
【００３６】
前記平行揺動部材（２３）には、ガイドアーム（２４）が第１揺動線（２４１）回りに揺動可能に設けられるとともに、テンションアーム（２５）が第２揺動軸線（２５１）回りに揺動可能に設けられている。ガイドアーム（２４）およびテンションアーム（２５）の先端部には、それぞれガイドスプロケット（２４２）とテンションスプロケット（２５２）が回転自在に設けられている。本実施形態では、テンションアーム（２５）の長さがガイドアーム（２４）の長さよりも長くなるように形成されている。また、ガイドアーム（２４）の第１揺動軸（２４１）がテンションアーム（２５）の第２揺動軸（２５１）よりも前方側に位置するものとなされている。なお、ガイドアーム（２４）とテンションアーム（２５）が平行揺動部材（２３）上で互いに独立に揺動可能になされ、このうちテンションアーム（２５）は第２揺動軸（２５１）付近内部の付勢バネ（２５３）により後方に付勢されている。
【００３７】
前記ベース部材（２１）の後方位置であって、プーリブラケット（５４）の先端部にはケーブルプーリ（２６）が回転可能に設けられている。このケーブルプーリ（２６）は、図５に示すように、外形が前方部を切り欠かれた円弧状に形成され、該円弧部（２６ｃ）の曲率中心位置（またはその近傍位置）に回転軸（２６１）が設けられるとともに、前記円弧部（２６ｃ）の周面にコントロールケーブル（４）が掛けられる溝（２６２）が設けられている。
【００３８】
具体的には、ケーブルプーリ（２６）は、回転軸（２６１）と、該回転軸（２６１）の位置から径方向に伸びる第１辺部（２６ａ）と、該第１辺部（２６ａ）と所定角度（本実施形態では約１２０度）をなしながら回転軸（２６１）の位置から径方向に伸びる第２辺部（２６ｂ）と、第１辺部（２６ａ）と第２辺部（２６ｂ）の先端部を結ぶ円弧部（２６ｃ）とからなる盤形状に形成されている。また、このケーブルプーリ（２６）の溝（２６２）にはコントロールケーブル（４）が折返しながら掛けられている。
【００３９】
これによれば、従来の円形のものに比べて、ケーブルプーリ（２６）をベース部材（２１）により一層近づけて設けることができ、リアディレイラ（２）全体の小型化を図ることが可能となる。
【００４０】
而して、変速レバー（３）を操作して最小径のリアチェーンホイール（１１０）に設定すると、コントロールケーブル（４）がリアディレイラ（２）側に引っ張られて、それに伴ってケーブルプーリ（２６）が左回りに回転するが、ベース部材（２１）に接触することなく手前で停止する（図５の実線状態）。
【００４１】
このときコントロールケーブル（４）は、ケーブルプーリ（２６）の掛上端点（Ａ）および掛下端点（Ｂ）において回転軸（２６１）に対して約９０度の角度をなしており、ケーブルプーリ（２６）の掛上端点（Ａ）および掛下端点（Ｂ）において鋭角的に折れ曲がった状態とならず、ケーブルプーリ（２６）に直線的に無理なく掛けられている。
【００４２】
そして、平行揺動部材（２３）がリンク部材（２２）を介して自転車と反対側に揺動して、ガイドアーム（２４）およびテンションアーム（２５）のガイドスプロケット（２４２）およびテンションスプロケット（２５２）が最小径のリアチェーンホイール（１１０）の下方位置に合わされ、該最小径のリアチェーンホイール（１１０）にチェーン（１１２）が掛けられる。
【００４３】
一方、変速レバー（３）を操作して最大径のリアチェーンホイール（１１０）に設定すると、コントロールケーブル（４）が変速レバー（３）側に引っ張られて、それに伴ってケーブルプーリ（２６）が右回りに回転するが、ベース部材（２１）に接触することなく手前で停止する（図５の一点鎖線状態）。
【００４４】
このときコントロールケーブル（４）は、ケーブルプーリ（２６）の掛上端点（Ａ）および掛下端点（Ｂ）において回転軸（２６１）に対して約９０度の角度をなしており、ケーブルプーリ（２６）の掛上端点（Ａ）および掛下端点（Ｂ）において鋭角的に折れ曲がった状態とならず、ケーブルプーリ（２６）に直線的に無理なく掛けられている。
【００４５】
そして、平行揺動部材（２３）がリンク部材（２２）を介して自転車側に揺動して、ガイドアーム（２４）およびテンションアーム（２５）のガイドスプロケット（２４２）およびテンションスプロケット（２５２）が最大径のリアチェーンホイール（１１０）の下方位置に合わされ、該最大径のリアチェーンホイール（１１０）にチェーン（１１２）が掛けられる。
【００４６】
なお、本実施形態では、ケーブルプーリ（２６）の前方部の切欠き量について、第１辺部（２６ａ）と第２辺部（２６ｂ）が約１２０度となすものとしたが、これに限定されるものではなく、ケーブルプーリ（２６）の大きさや、ベース部材（２１）との距離（Ｌ）などによって種々に変更可能である。ただ、変速レバー（３）の操作ストローク量とケーブルプーリ（２６）の径の大小とによってケーブルプーリ（２６）の回転角度が変化するため、ケーブルプーリ（２６）の変速時回転によりベース部材（２１）に接触しないようにケーブルプーリ（２６）の前方部の切欠き量を適宜選択する必要がある。
【００４７】
また、ケーブルプーリ（２６）を取り付けるためのプーリブラケット（５４）をベース部材（２１）とは別体に設けたが、例えば図１３に示すように、ベース部材（２１）の後端部に凸部（２１ａ）を一体的に設け、プーリブラケット（５４）と同じ機能を持たせてもよい。
【００４８】
＜実施形態２＞
次に本発明の第２の実施形態について説明する。なお、ケーブルプーリ（２６）以外のものについては第１実施形態のものと同じであるので、同一の符号を付してその説明を省略する。
【００４９】
本実施形態では、図６に示すように、ケーブルプーリ（２６）の回転軸（２６１）は偏心している。すなわち、ケーブルプーリ（２６）は、回転軸（２６１）から円弧部（２６ｃ）上の上部位置までの半径Ｒ１と、回転軸（２６１）から円弧部（２６ｃ）上の下部位置までの半径Ｒ２とが異なる距離となるように、前記円弧部の曲率半径が変化するものとなされている。
【００５０】
このように曲率半径を変えることにより変速レバー（３）の位置決め間隔とリアディレイラ（２）の作動ストロークのマッチングが容易となり、同じ変速レバー（３）で各リアチェーンホイール（１１０）の間隔が異なる場合でもケーブルプーリ（２６）を替えるだけで適用が可能となる。
【００５１】
＜実施形態３＞
次に本発明の第３の実施形態について説明する。なお、ケーブルプーリ（２６）以外のものについては第１実施形態のものと同じであるので、同一の符号を付してその説明を省略する。
【００５２】
本実施形態では、図７（ａ）に示すように、ケーブルプーリ（２６）の周縁部において複数（２個）のケーブル外れ防止部材（２６４）が設けられている。このケーブル外れ防止部材（２６４）は、図７（ｂ）に示すように、（２６２）を上方から覆うようなコ字状に形成されており、両端部が溝（２６２）の両壁部（２６３）の頂上部に固着されている。これによれば変速時などにおいて仮にコントロールケーブル（４）が弛んだ場合でも、ケーブルプーリ（２６）から外れるのを防止することができる。
【００５３】
＜実施形態４＞
次に本発明の第４の実施形態について説明する。なお、ケーブルプーリ（２６）以外のものについては第１実施形態のものと同じであるので、同一の符号を付してその説明を省略する。
【００５４】
本実施形態では、図８に示すように、ケーブルプーリ（２６）の溝（２６２）の両壁部（２６３）の内壁面において内側に突出するケーブル保持部材（２６５）が設けられている。これによれば、コントロールケーブル（４）がケーブル保持部材（２６５）に挟まれることにより確実に保持されるので、コントロールケーブル（２６５）の弛みに対してコントロールケーブル（４）とケーブルプーリ（２６）との位置がずれることを防止でき、変速レバー（３）の操作に対してリアディレイラ（２）を正確に動作させることが可能となる。
【００５５】
＜実施形態５＞
次に本発明の第５の実施形態について説明する。なお、ケーブルプーリ（２６）以外のものについては第１実施形態のものと同じであるので、同一の符号を付してその説明を省略する。
【００５６】
本実施形態では、図９に示すように、ケーブルプーリ（２６）において側方からコントロールケーブル（４）を押さえつけるためのネジ部材（２６６）が設けられている。すなわち、ケーブルプーリ（２６）の円弧部（２６ｃ）に雌ネジを切ったネジ孔（２６７）が形成されており、該ネジ孔（２６７）にネジ部材（２６６）をねじ込んでいき、ネジ部材（２６６）の先端部によりコントロールケーブル（４）が押さえられる。
【００５７】
これによれば、コントロールケーブル（４）がネジ部材（２６６）で押さえられるので、コントロールケーブル（４）の弛みに対してコントロールケーブル（４）とケーブルプーリ（２６）との位置がずれることを防止でき、変速レバー（３）の操作に対してリアディレイラ（２）を正確に動作させることが可能となる。
【００５８】
＜実施形態６＞
次に本発明の第６の実施形態について説明する。なお、ケーブルプーリ（２６）以外のものについては第１実施形態のものと同じであるので、同一の符号を付してその説明を省略する。
【００５９】
本実施形態では、図１０に示すように、ケーブルプーリ（２６）は、上部が下部よりも自転車側に接近するように回転軸（２６１）（軸線ｇ）が水平線ｈに対して上向きに傾斜して設けられている。
【００６０】
ケーブルプーリ（２６）を取り付けるに際しては、その回転軸（２６１）をプーリブラケット（５４）の軸孔（５４１）に固定することにより行われるが、プーリブラケット（５４）の上部が自転車側に傾斜しており、それに伴ってケーブルプーリ（２６）も回転軸（２６１）（軸線ｇ）が水平線ｈに対して上向きに傾斜して設けられている。
【００６１】
このようにケーブルプーリ（２６）の回転軸（２６１）（軸線ｇ）を水平線ｈに対して上向きに傾斜させることにより、回転軸（２６１）が水平な通常の場合に比べて、コントロールケーブル（４）をリアディレイラ（２）側に効率よく、無理なく、直線的に流れを作ることができる。
【００６２】
すなわち、リンク部材（２）のケーブル端固定部材（２２１）はフレーム（１０１）の外側に位置するため、ケーブルプーリ（２６）の回転軸を水平にするとコントロールケーブル（４）をスムーズに配線させることができない場合がある。そこで、ケーブルプーリ端固定部材（２２１）がフレーム（１０１）の外側に位置するのに応じて、ケーブルプーリ（２６）の回転軸（２６１）を上向きに傾斜させればコントロールケーブル（４）をスムーズに配線することができる。
【００６３】
なお、本実施形態では、ケーブルプーリ（２６）をプーリブラケット（５４）を介して上向きに傾斜して設けるものとしたが、ベース部材（２１）の後端部に一体的に設けてもよい。
【００６４】
＜実施形態７＞
次に本発明の第７の実施形態について説明する。なお、ケーブルプーリ（２６）以外のものについては第１実施形態のものと同じであるので、同一の符号を付してその説明を省略する。
【００６５】
本実施形態では、図１１に示すように、ケーブルプーリ（２６）は、重心位置が回転軸（２６１）の位置またはその近傍位置となるように肉抜きされている。このようにケーブルプーリ（２６）の重心位置が回転軸（２６１）の位置又はその近傍位置になるように肉抜きすることにより、自転車走行時などの振動によりケーブルプーリ（２６）が勝手に回転することを防止できる。
【００６６】
＜実施形態８＞
次に本発明の第８の実施形態について説明する。なお、第１実施形態と同じものについては、同一の符号を付してその説明を省略する。
【００６７】
本実施形態では、ケーブルプーリ（２６）は、自転車の前後方向に移動可能な態様で設けられている。
【００６８】
例えば、図１２（ａ）に示すように、取付溝（６１）を有するブラケット部材（６）をベース部材（２１）と独立して設ける。このブラケット部材（６）は、取付溝（６１）に移動部材（６２）が前後に移動可能な状態に嵌め込まれるとともに、該移動部材（６２）を貫通する態様でネジ部材（６３）がねじ込まれ、該ネジ部材（６３）がバネ部材（６４）により付勢されている。このネジ部材（６３）を右回りまたは左回りに回転させることにより移動部材（６２）が取付溝（６１）内を前後に移動する。そして、移動部材（６２）の側面にケーブルプーリ（２６）の回転軸（２６１）が固定されており、ネジ部材（６３）の回転作用により移動部材（６２）が前後に移動するのに伴って、ケーブルプーリ（２６）も前後に移動することができる。このようにケーブルプーリ（２６）が前後に移動することによりケーブルプーリ（２６）とリアディレイラ（２）の間隔を調節することができ、変速レバー（３）のスタート位置とリアディレイラ（２）のスタート位置を容易に合わせることが可能となる。
【００６９】
あるいは、図１２（ｂ）に示すように、ブラケット部材（７）をベース部材（２１）と独立して設ける。このブラケット部材（７）は、一端において揺動可能な揺動部材（７３）が軸支されるとともに、該揺動部材（７３）の先端部を貫通する態様でネジ部材（７２）がねじ込まれ、該ネジ部材（７２）はバネ部材（７３）により付勢されている。このネジ部材（７２）を右回り又は左回りに回転させることにより揺動部材（７１）が前後に揺動する。そして、揺動部材（７１）の先端部の側面にケーブルプーリ（２６）の回転軸（２６１）が固定されており、ネジ部材（７２）の回転作用により揺動部材（７２）が前後に揺動するのに伴って、ケーブルプーリ（２６）も前後に移動することができ、変速レバー（３）のスタート位置とリアディレイラ（２）のスタート位置を容易に合わせることが可能となる。
【００７０】
なお、本実施形態では、ブラケット部材（６）（７）をベース部材（２１）と独立して設けるものとしたが、ベース部材（２１）に一体的に設けてもよい。
【００７１】
また、ケーブルプーリ（２６）の移動を調節する機構は上記のものに限定されるものでなく、その他の機構であってもよい。
【００７２】
いずれの実施形態についても、リアディレイラ（２）の構造は様々に設計変更してもよい。例えば、ガイドスプロケット（２４２）とテンションスプロケット（２５２）をガイドアーム（２４）とテンションアーム（２５）に独立して設けるものとしたが、それぞれ一つのアームに設けるものとしてもよい。
【産業上の利用可能性】
【００７３】
本発明は、自転車の変速に用いられる自転車用リアディレイラに適用可能である。
【図面の簡単な説明】
【００７４】
【図１】自転車用リアディレイラが取り付けられる自転車の概略図である。
【図２】リアディレイラをフレームに取り付けた状態を自転車側方から示す外観図である。
【図３】リアディレイラをフレームに取り付けた状態を自転車後方から示す模式図である。
【図４】フレームのリアディレイラ取付部を示す部分図である。
【図５】第１の実施形態に係るケーブルプーリを示す側面図である。
【図６】第２の実施形態に係るケーブルプーリを示す側面図である。
【図７】第３の実施形態に係るケーブルプーリを示す側面図および正面図である。
【図８】第４の実施形態に係るケーブルプーリを示す正面図である。
【図９】第５の実施形態に係るケーブルプーリを示す一部断面図である。
【図１０】第６の実施形態に係るケーブルプーリを示す正面図である。
【図１１】第７の実施形態に係るケーブルプーリを示す側面図である。
【図１２】第８の実施形態に係るケーブルプーリを示す側面図である。
【図１３】第１の実施形態に係るケーブルプーリの他の例を示す側面図である。
【図１４】従来のリアディレイラをフレームに取り付けた状態を自転車側方から示す外観図である。
【符号の説明】
【００７５】
１・・・自転車
２・・・リアディレイラ
３・・・変速レバー
４・・・コントロールケーブル
２１・・・ベース部材
２２・・・リンク部材
２３・・・平行揺動部材
２４・・・ガイドアーム
２５・・・テンションアーム
２６・・・ケーブルプーリ
５４・・・プーリブラケット
１０１・・・フレーム
１１０・・・リアチェーンホイール
１１２・・・チェーン
【図１】
2007168596.tif 000003
【図２】
2007168596.tif 000004
【図３】
2007168596.tif 000005
【図４】
2007168596.tif 000006
【図５】
2007168596.tif 000007
【図６】
2007168596.tif 000008
【図７】
2007168596.tif 000009
【図８】
2007168596.tif 000010
【図９】
2007168596.tif 000011
【図１０】
2007168596.tif 000012
【図１１】
2007168596.tif 000013
【図１２】
2007168596.tif 000014
【図１３】
2007168596.tif 000015
【図１４】
2007168596.tif 000016